(57)【要約】【課題】十分な強度をもち、かつ、放熱性に優れたチップ抵抗器を提供する。【解決手段】抵抗体１と、この抵抗体１の片面に接合された一対の電極２とを備えているチップ抵抗器Ａであって、一対の電極２間となる抵抗体１の部分に切れ込み部１ａが設けられており、かつ、一対の電極２が接合された面とは反対側となる抵抗体１の片面に、補強材４が接合されている。抵抗体１と補強材４は、絶縁性の接着層３を介して接合されている。【選択図】  図１
2014060463.tif 000002
【特許請求の範囲】
【請求項１】
抵抗体と、この抵抗体の片面に接合された一対の電極とを備えているチップ抵抗器であって、
上記一対の電極間となる上記抵抗体の部分に切れ込み部が設けられており、かつ、上記一対の電極が接合された面とは反対側となる上記抵抗体の片面に、補強材が接合されていることを特徴とする、チップ抵抗器。
【請求項２】
複数の抵抗体と、これら抵抗体の片面に接合された一対の電極とを備えているチップ抵抗器であって、
上記複数の抵抗体は、上記一対の電極が対向する方向に対して直交する方向に並んでいるとともに、上記一対の電極間となる上記抵抗体のそれぞれの部分に切れ込み部が設けられており、かつ、上記一対の電極が接合された面とは反対側となる上記複数の抵抗体の片面全体に、補強材が接合されていることを特徴とする、チップ抵抗器。
【請求項３】
上記抵抗体と上記補強材は、絶縁性の接着層を介して接合されている、請求項１または２に記載のチップ抵抗器。
【請求項４】
抵抗体の材料となる一または複数の金属板と補強材となる基板とを接合する工程と、
上記金属板にエッチングを施す工程と、
上記金属板の一部を覆うように保護膜を形成する工程と、
上記保護膜から露出した上記金属板の部分にメッキによって複数の電極を形成する工程と、
上記電極を少なくとも一対含む矩形状もしくは長矩形状のチップとなるように、一体となった上記一または複数の金属板および上記基板ならびに上記保護膜を分割する工程と、
を含むことを特徴とする、チップ抵抗器の製造方法。
【請求項５】
上記金属板にエッチングを施す際、上記一対の電極間となる上記金属板の部分に切れ込み部を形成する、請求項４に記載のチップ抵抗器の製造方法。
【発明の詳細な説明】
【技術分野】
【０００１】
本発明は、チップ抵抗器およびその製造方法に関する。
【背景技術】
【０００２】
従来のチップ抵抗器としては、特許文献１に開示されたものがある。同文献に開示されたチップ抵抗器は、抵抗体の片面に一対の電極を設けて構成されている。一対の電極は、互いに絶縁された状態で抵抗体の片面に直接接合されている。電極が接合された面とは反対側となる抵抗体の片面には、抵抗体を保護するようにオーバコート層が形成されている。このようなチップ抵抗器では、抵抗温度係数（ＴＣＲ）が小さい合金からなる金属板を抵抗体として用いると、ＴＣＲの低減に加えて数ｍΩといった超低抵抗を実現することができる。数ｍΩの超低抵抗よりも高い抵抗、たとえば数十〜数百ｍΩの抵抗を実現するには、抵抗体の幅を部分的に細くしたり、あるいはレーザトリミングやエッチングによって抵抗体の一部を除去するようにしている。
【０００３】
しかしながら、上記従来のチップ抵抗器では、抵抗体を細くしたり一部除去したりすると、抵抗体そのものが比較的薄い金属板からなり、オーバコート層も抵抗体や電極を支える十分な厚みを有するものではないため、そのような金属板やオーバコート層だけでは一対の電極を支えるのに強度不足となってしまう。また、通電時には、抵抗体が発熱して細い部分や除去部分に熱がこもりやすくなるため、放熱性に劣るという難点もあった。
【０００４】
【特許文献１】特開２００７−４９２０７号公報
【発明の開示】
【発明が解決しようとする課題】
【０００５】
本発明は、上記した事情のもとで考え出されたものであって、十分な強度をもち、かつ、放熱性に優れたチップ抵抗器を提供することをその課題とする。また、本発明は、そのようなチップ抵抗器の量産に適したチップ抵抗器の製造方法を提供することをその課題としている。
【課題を解決するための手段】
【０００６】
本発明の第１の側面によって提供されるチップ抵抗器は、抵抗体と、この抵抗体の片面に接合された一対の電極とを備えているチップ抵抗器であって、上記一対の電極間となる上記抵抗体の部分に切れ込み部が設けられており、かつ、上記一対の電極が接合された面とは反対側となる上記抵抗体の片面に、補強材が接合されていることを特徴としている。
【０００７】
本発明の第２の側面によって提供されるチップ抵抗器は、複数の抵抗体と、これら抵抗体の片面に接合された一対の電極とを備えているチップ抵抗器であって、上記複数の抵抗体は、上記一対の電極が対向する方向に対して直交する方向に並んでいるとともに、上記一対の電極間となる上記抵抗体のそれぞれの部分に切れ込み部が設けられており、かつ、上記一対の電極が接合された面とは反対側となる上記複数の抵抗体の片面全体に、補強材が接合されていることを特徴としている。
【０００８】
本発明の好ましい実施の形態においては、上記抵抗体と上記補強材は、絶縁性の接着層を介して接合されている。
【０００９】
本発明の第３の側面によって提供されるチップ抵抗器の製造方法は、抵抗体の材料となる一または複数の金属板と補強材となる基板とを接合する工程と、上記金属板にエッチン
グを施す工程と、上記金属板の一部を覆うように保護膜を形成する工程と、上記保護膜から露出した上記金属板の部分にメッキによって複数の電極を形成する工程と、上記電極を少なくとも一対含む矩形状もしくは長矩形状のチップとなるように、一体となった上記一または複数の金属板および上記基板ならびに上記保護膜を分割する工程と、を含むことを特徴としている。
【００１０】
本発明の好ましい実施の形態においては、上記金属板にエッチングを施す際、上記一対の電極間となる上記金属板の部分に切れ込み部を形成する。
【００１１】
このような構成によれば、抵抗体や電極を補強材によって支えることで十分な強度をもたせることができ、また、補強材を介して放熱性に優れたチップ抵抗器を実現することができる。また、そのようなチップ抵抗器の量産に適したチップ抵抗器の製造方法を実現することができる。
【００１２】
本発明のその他の特徴および利点は、添付図面を参照して以下に行う詳細な説明によって、より明らかとなろう。
【発明を実施するための最良の形態】
【００１３】
以下、本発明の好ましい実施の形態につき、図面を参照して具体的に説明する。
【００１４】
図１および図２は、本発明にかかるチップ抵抗器の一実施形態を示し、図３〜５は、その製造方法の一例を示している。図１および図２に示すように、本実施形態のチップ抵抗器Ａは、抵抗体１、一対の電極２、接着層３、補強材４、および電極絶縁体５（図１において図示略）を有して構成されている。このチップ抵抗器Ａは、表面実装に適したものであり、数十ｍΩ〜数百ｍΩ程度の低抵抗のものとして構成されている。
【００１５】
抵抗体１は、温度抵抗係数（ＴＣＲ）が比較的小さい、たとえばＮｉ−Ｃｒ系合金、Ｎｉ−Ｃｕ系合金、Ｆｅ−Ｃｒ系合金、あるいはＣｕ−Ｍｎ系合金といった金属板からなり、１０〜１００μｍ程度の厚みを有する。この抵抗体１は、所望とする抵抗値に調整すべくエッチングによって除去された切れ込み部１ａを有するものの、一方の電極２から他方の電極２へと連続している。
【００１６】
一対の電極２は、抵抗体１の片面に直接接合されており、互いに電極絶縁体５を挟んで離間している。電極２の下面には、ハンダ付け性を良好にするためのハンダ層（図示略）が形成されている。このような電極２は、５０〜２００μｍ程度の厚みを有し、後述するように、たとえばＣｕをメッキ処理することによって形成される。
【００１７】
接着層３は、抵抗体１と補強材４との間に設けられており、抵抗体１と補強材４とを強固に接合する役割を果たす。また、接着層３は、絶縁性を有しており、補強材４が導電材料からなる場合にこれと抵抗体１とを電気的に絶縁する役割も果たす。このような接着層３は、６０〜１００μｍ程度の厚みを有し、後述するように、たとえばガラス繊維に接着樹脂を含浸させたプリプレグ（絶縁性接着フィルム）からなる。
【００１８】
補強材４は、電極２が接合された面とは反対側となる抵抗体１の片面に接着層３を介して接合されている。この補強材４は、たとえばアルミナ、ガラスエポキシ樹脂、あるいは導電性をもつＣｕからなり、抵抗体１の強度を高める役割を果たすとともに、通電時に抵抗体１に生じた熱を効率よく放散させるといった役割ももつ。このような補強材４は、２００〜４００μｍ程度の厚みを有する。
【００１９】
電極絶縁体５は、一対の電極２を絶縁するようにこれらの間に設けられており、電気絶
縁性をもつ例えばエポキシ樹脂系の絶縁材を一対の電極２の間となる部分に塗布することで形成される。
【００２０】
次に、チップ抵抗器Ａの製造方法の一例について、図３〜５を参照して説明する。
【００２１】
まず、図３（ａ）に示すように、抵抗体１の材料となる金属板１０と、補強材４となる基板４０との間に、接着層３となるプリプレグ３０を挟み込んだ状態とし、これら金属板１０、基板４０、およびプリプレグ３０を高圧真空プレスによって接合する。このような金属板１０、基板４０、およびプリプレグ３０は、チップ抵抗器Ａを複数個取り可能なサイズを有し、抵抗体１、補強材４、および接着層３それぞれの厚みに対応している。
【００２２】
次に、図３（ｂ）に示すように、金属板１０に対してエッチング処理を施すことにより、連続状の抵抗体１を形成する。このようにして形成された抵抗体１は、所定部分に切れ込み部１ａを有しつつも所定の方向（同図では横方向）に繋がった形態で複数の列をなしている。
【００２３】
次に、図４（ａ）に示すように、抵抗体１の切れ込み部１ａを覆うようにストライプ状に保護膜５０を塗布する。この保護膜５０は、上述の電極絶縁体５に相当するものである。このとき、保護膜５０の両外側には、電極２の形成箇所となる抵抗体１の部分が露出させられる。
【００２４】
次に、図４（ｂ）に示すように、抵抗体１、プリプレグ３０、基板４０、および保護膜５０が一体となったものに対し、いわゆるラックメッキによって銅メッキを施す。これにより、保護膜５０の両外側で抵抗体１が露出した部分には、電極２となる電極層２０が形成される。さらにハンダ付け性を良好にするなどといった必要があれば、電極層２０の表面には、Ｓｎなどのハンダ層（図示略）をメッキ処理によって形成するようにしてもよい。
【００２５】
最後に、図５に示すように、電極層２０に沿う縦切断ラインＬ１と電極層２０と電極層２０との間を通る横切断ラインＬ２に沿って切断することにより、抵抗体１、プリプレグ３０、基板４０、および保護膜５０、ならびに電極層２０が一体となったものをチップ状に分割する。これにより、図１および図２に示すようなチップ抵抗器Ａを複数個取りすることができる。
【００２６】
したがって、本実施形態のチップ抵抗器Ａによれば、切れ込み部１ａを有することで強度に乏しい抵抗体１であっても、この抵抗体１や電極２が補強材４によって支えられるので、チップ抵抗器Ａ全体に十分な強度をもたせることができる。また、抵抗体１よりも大きい体積をもつ補強材４によって放熱性を良好とすることができる。本実施形態のチップ抵抗器の製造方法によれば、上記した優れた効果をもつチップ抵抗器Ａを容易に量産することができる。
【００２７】
本発明は、上述した実施形態の内容に限定されない。本発明にかかるチップ抵抗器の各部の具体的な構成は、種々に設計変更自在である。
【００２８】
たとえば他の実施形態としては、図６に示すようなチップ抵抗器Ｂであってもよい。このチップ抵抗器Ｂでは、抵抗体１の両端部に電極２が２つずつ分離して設けられている。このような構成によれば、実装時にハンダが接触する面積が大きくなるので、ハンダ付け性をより良好にすることができる。
【００２９】
さらに他の実施形態としては、図７に示すようなチップ抵抗器Ｃであってもよい。この
チップ抵抗器Ｃは、図１のチップ抵抗器Ａの複数個を並べたような形態からなる。すなわち、チップ抵抗器Ｃは、全体的に長矩形状を呈しており、一対の電極２が対向する方向に対して直交する方向（長手方向）に複数の抵抗体１が並んだ形態からなる。このチップ抵抗器Ｃは、基本的な構造が先述したチップ抵抗器Ａと同一であり、たとえば補強材４は、電極２が接合された面とは反対側となる抵抗体１の片面全体にわたり接着層３を介して接合されている。このようなチップ抵抗器Ｃは、たとえば配線基板上に形成された２つの電極パッドに対して両側の電極２が接合される。これにより、複数の抵抗体１は、一括して並列接続されたものとなる。
【００３０】
上記チップ抵抗器Ｃは、先述した図５に示す製造工程において、隣り合う金属板１０と金属板１０との間を切断することなく、縦に並んだ電極層２０に沿う縦切断ラインＬ１に沿って切断することにより、長矩形状のチップとして複数個取りすることができる。
【００３１】
したがって、本実施形態のチップ抵抗器Ｃによれば、全体的に長矩形状とすることで補強材４を大きくし、より十分な強度をもたせることができる。製造方法においては、隣り合う金属板１０と金属板１０との間を切断する必要がないので、より容易に量産することができる。
【図面の簡単な説明】
【００３２】
【図１】本発明にかかるチップ抵抗器の一実施形態を示す斜視図である。
【図２】図１のII−II線に沿う断面図である。
【図３】図１に示すチップ抵抗器の製造方法を説明するための説明図である。
【図４】図１に示すチップ抵抗器の製造方法を説明するための説明図である。
【図５】図１に示すチップ抵抗器の製造方法を説明するための説明図である。
【図６】本発明にかかるチップ抵抗器の他の実施形態を示す斜視図である。
【図７】本発明にかかるチップ抵抗器の他の実施形態を示す斜視図である。
【符号の説明】
【００３３】
Ａ，Ｂ，Ｃ  チップ抵抗器
１          抵抗体
１ａ        切れ込み部
２          電極
３          接着層
４          補強材
５          電気絶縁体
１０        金属板
２０        電極層
３０        プリプレグ
４０        基板
５０        保護膜
【図１】
2014060463.tif 000003
【図２】
2014060463.tif 000004
【図３】
2014060463.tif 000005
【図４】
2014060463.tif 000006
【図５】
2014060463.tif 000007
【図６】
2014060463.tif 000008
【図７】
2014060463.tif 000009
【手続補正書】
【提出日】平成26年2月19日(2014.2.19)
【手続補正１】
【補正対象書類名】特許請求の範囲
【補正対象項目名】全文
【補正方法】変更
【補正の内容】
【特許請求の範囲】
【請求項１】
上面および下面を有する板状の抵抗体と、この抵抗体の上記下面のみに直接接合され電気的に導通する一対の電極と、上記抵抗体の上記下面のうち上記一対の電極の間の部分を覆う電極絶縁体とを備えているチップ抵抗器であって、
上記一対の電極間となる上記抵抗体の部分に抵抗値調整部が設けられており、かつ、上面に、絶縁性の接着層を介して上記抵抗体よりも厚みが大である絶縁性の補強材が接合されているとともに、上記電極絶縁体と上記接着層とは上記抵抗値調整部を介して接していることを特徴とする、チップ抵抗器。
【請求項２】
上面および下面を有する板状の複数の抵抗体と、これら抵抗体の上記下面のみに直接接合された一対の電極と、上記抵抗体の上記下面のうち上記一対の電極の間の部分を覆う電極絶縁体とを備えているチップ抵抗器であって、
上記複数の抵抗体は、上記一対の電極が対向する方向に対して直交する方向に並んでいるとともに、上記一対の電極間となる上記抵抗体のそれぞれの部分に抵抗値調整部が設けられており、かつ、上記上面全体に、絶縁性の接着層を介して上記抵抗体よりも厚みが大である絶縁性の補強材が接合されているとともに、上記電極絶縁体と上記接着層とは上記抵抗値調整部を介して接していることを特徴とする、チップ抵抗器。
【請求項３】
上記絶縁性の接着層の面積は、上記抵抗体の上記下面側からの平面視において上記抵抗体の面積より大である、請求項１または２に記載のチップ抵抗器。
【請求項４】
上記絶縁性の接着層は、ガラス繊維を含んでいる、請求項１ないし３のいずれかに記載のチップ抵抗器。
【請求項５】
上記絶縁性の接着層は、上記補強材の端部と面一とされた端部を有する、請求項１ないし４のいずれかに記載のチップ抵抗器。